【手続補正書】
【提出日】平成25年5月21日(2013.5.21)
【手続補正１】
【補正対象書類名】明細書
【補正対象項目名】発明の名称
【補正方法】変更
【補正の内容】
【発明の名称】表示装置、および光学系
【手続補正２】
【補正対象書類名】特許請求の範囲
【補正対象項目名】全文
【補正方法】変更
【補正の内容】
【特許請求の範囲】
【請求項１】
表示装置であって、
元の映像から予備歪曲映像を生成する予備歪曲系と、
前記予備歪曲映像の予備歪曲を実質的に相殺するように歪ませ、スクリーンに前記元の映像に対応する実質的に非歪曲映像を投影させる投影系と
を備える表示装置。
【請求項２】
前記予備歪曲映像は、像面が歪曲していることを特徴とする請求項１記載の表示装置。
【請求項３】
前記予備歪曲映像は、形状が歪んでいることを特徴とする請求項１又は２記載の表示装置。
【請求項４】
前記予備歪曲映像は、ほぼ半円の映像であることを特徴とする請求項１〜３のいずれか一項に記載の表示装置。
【請求項５】
前記予備歪曲映像は、ほぼ円形の映像であることを特徴とする請求項１〜３のいずれか一項に記載の表示装置。
【請求項６】
前記予備歪曲系の光軸と、前記投影系との光軸は、同軸であることを特徴とする請求項１〜５のいずれか一項に記載の表示装置。
【請求項７】
前記予備歪曲系と前記投影系との間に、入射する光の方向を変更する方向変更部を備えることを特徴とする請求項１〜６のいずれか一項に記載の表示装置。
【請求項８】
前記予備歪曲系は、前記方向変更部の近傍に前記予備歪曲映像を生成することを特徴とする請求項１〜７のいずれか一項に記載の表示装置。
【請求項９】
前記予備歪曲系は、前記方向変更部の位置よりも前記投影系側に前記予備歪曲映像を生成する請求項１〜７のいずれか一項に記載の表示装置。
【請求項１０】
前記予備歪曲系は、前記投影系の内部に前記予備歪曲映像を生成することを特徴とする請求項９記載の表示装置。
【請求項１１】
前記予備歪曲系は、レンズを含むことを特徴とする請求項１〜１０のいずれか一項に記載の表示装置。
【請求項１２】
前記投影系は、前記表示装置が設置される水平面に対して約３０°から約８０°の間の角度で前記非歪曲映像を投影することを特徴とする請求項１〜１１のいずれか一項に記載の表示装置。
【請求項１３】
前記投影系は、前記非歪曲映像の前記表示装置より遠い側の端を、前記表示装置が設置される水平面に対して約８０°で投影することを特徴とする請求項１〜１２のいずれか一項に記載の表示装置。
【請求項１４】
前記投影系は、前記非歪曲映像の前記表示装置に近い側の端を、前記表示装置が設置される水平面に対して約３０°で投影することを特徴とする請求項１〜１３のいずれか一項に記載の表示装置。
【請求項１５】
前記投影系の光軸が、前記スクリーンに略垂直であることを特徴とする請求項１〜１４のいずれか一項に記載の表示装置。
【請求項１６】
前記投影系は、前記スクリーンに映像を結像することを特徴とする請求項１〜１５のいずれか一項に記載の表示装置。
【請求項１７】
前記投影系の画角が１００°を超えることを特徴とする請求項１〜１６のいずれか一項に記載の表示装置。
【請求項１８】
前記投影系の画角が、約１５３°であることを特徴とする請求項１７に記載の表示装置。
【請求項１９】
前記投影系の画角が、約１００°から約１５３°であることを特徴とする請求項１〜１８のいずれか一項に記載の表示装置。
【請求項２０】
前記表示装置は、フロント・プロジェクション表示装置であることを特徴とする請求項１〜１９のいずれか一項に記載の表示装置。
【請求項２１】
前記投影系は、広角レンズを備えていることを特徴とする請求項１〜２０のいずれか一項に記載の表示装置。
【請求項２２】
前記予備歪曲系は、中継レンズ群を備えていることを特徴とする請求項１〜２１のいずれか一項に記載の表示装置。
【請求項２３】
前記予備歪曲系の光軸および前記投影系の光軸は、１８０°以上の角度を形成していることを特徴とする請求項１〜２２のいずれか一項に記載の表示装置。
【請求項２４】
前記予備歪曲系の光軸および前記投影系の光軸は、約１８０°の角度を形成していることを特徴とする請求項１〜２２のいずれか一項に記載の表示装置。
【請求項２５】
前記予備歪曲系の光軸および前記投影系の光軸は、約１３５°の角度を形成していることを特徴とする請求項１〜２２のいずれか一項に記載の表示装置。
【請求項２６】
前記予備歪曲系の光軸および前記投影系の光軸は、約９０°の角度を形成していることを特徴とする請求項１〜２２のいずれか一項に記載の表示装置。
【請求項２７】
前記予備歪曲系の光軸および前記投影系の光軸は、約４５°の角度を形成していることを特徴とする請求項１〜２２のいずれか一項に記載の表示装置。
【請求項２８】
前記予備歪曲系の光軸および前記投影系の光軸は、約３０°の角度を形成していることを特徴とする請求項１〜２２のいずれか一項に記載の表示装置。
【請求項２９】
前記表示装置は、前記スクリーンに対して２インチから１０インチ以内の距離に配置されたときに、前記非歪曲映像のサイズが約５０インチから約１００インチとなることを特徴とする請求項１〜２８のいずれか一項に記載の表示装置。
【請求項３０】
前記非歪曲映像は、全体の歪みが約３％未満であることを特徴とする請求項１〜２９のいずれか一項に記載の表示装置。
【請求項３１】
映像を生成する映像生成部をさらに備え、
前記映像生成部は、前記スクリーンと略垂直であることを特徴とする請求項１〜３０のいずれか一項に記載の表示装置。
【請求項３２】
映像を生成する映像生成部をさらに備え、
前記映像生成部は、前記スクリーンと略平行であることを特徴とする請求項１〜３０のいずれか一項に記載の表示装置。
【請求項３３】
光学系であって、
元の映像から予備歪曲映像を生成する予備歪曲系と、
前記予備歪曲映像の予備歪曲を実質的に相殺するように歪ませ、前記元の映像に対応する実質的に非歪曲映像を投影させる投影系と
を備える光学系。
【請求項３４】
前記予備歪曲映像は、像面が歪曲していることを特徴とする請求項３３記載の光学系。
【請求項３５】
前記予備歪曲映像は、形状が歪んでいることを特徴とする請求項３３又は３４記載の光学系。
【請求項３６】
前記予備歪曲映像は、ほぼ半円の映像であることを特徴とする請求項３３〜３５のいずれか一項に記載の光学系。
【請求項３７】
前記予備歪曲映像は、ほぼ円形の映像であることを特徴とする請求項３３〜３５のいずれか一項に記載の光学系。
【請求項３８】
前記予備歪曲系の光軸と、前記投影系との光軸は、同軸であることを特徴とする請求項３３〜３７のいずれか一項に記載の光学系。
【請求項３９】
前記予備歪曲系と前記投影系との間に、入射する光の方向を変更する方向変更部を備えることを特徴とする請求項３３〜３８のいずれか一項に記載の光学系。
【請求項４０】
前記予備歪曲系は、前記方向変更部の近傍に前記予備歪曲映像を生成することを特徴とする請求項３３〜３９のいずれか一項に記載の光学系。
【請求項４１】
前記予備歪曲系は、前記方向変更部の位置よりも前記投影系側に前記予備歪曲映像を生成する請求項３３〜３９のいずれか一項に記載の光学系。
【請求項４２】
前記予備歪曲系は、前記投影系の内部に前記予備歪曲映像を生成することを特徴とする請求項４１記載の光学系。
【請求項４３】
前記予備歪曲系は、レンズを含むことを特徴とする請求項３３〜４３のいずれか一項に記載の光学系。
【請求項４４】
前記投影系は、前記光学系が設置される水平面に対して約３０°から約８０°の間の角度で前記非歪曲映像を投影することを特徴とする請求項３３〜４３のいずれか一項に記載の光学系。
【請求項４５】
前記投影系は、前記非歪曲映像の前記投影系より遠い側の端を、前記光学系が設置される水平面に対して約８０°で投影することを特徴とする請求項３３〜４４のいずれか一項に記載の光学系。
【請求項４６】
前記投影系は、前記非歪曲映像の前記投影系に近い側の端を、前記光学系が設置される水平面に対して約３０°で投影することを特徴とする請求項３３〜４５のいずれか一項に記載の光学系。
【請求項４７】
前記投影系の光軸が、前記スクリーンに略垂直であることを特徴とする請求項３３〜４６のいずれか一項に記載の光学系。
【請求項４８】
前記投影系は、前記スクリーンに映像を結像することを特徴とする請求項３３〜４７のいずれか一項に記載の光学系。
【請求項４９】
前記投影系の画角が１００°を超えることを特徴とする請求項３３〜４８のいずれか一項に記載の光学系。
【請求項５０】
前記投影系の画角が、約１５３°であることを特徴とする請求項４９に記載の光学系。
【請求項５１】
前記投影系の画角が、約１００°から約１５３°であることを特徴とする請求項３３〜５０のいずれか一項に記載の光学系。
【請求項５２】
前記投影系は、広角レンズを備えていることを特徴とする請求項３３〜５１のいずれか一項に記載の光学系。
【請求項５３】
前記予備歪曲系は、中継レンズ群を備えていることを特徴とする請求項３３〜５２のいずれか一項に記載の光学系。
【請求項５４】
前記予備歪曲系の光軸および前記投影系の光軸は、１８０°以上の角度を形成していることを特徴とする請求項３３〜５３のいずれか一項に記載の光学系。
【請求項５５】
前記予備歪曲系の光軸および前記投影系の光軸は、約１８０°の角度を形成していることを特徴とする請求項３３〜５３のいずれか一項に記載の光学系。
【請求項５６】
前記予備歪曲系の光軸および前記投影系の光軸は、約１３５°の角度を形成していることを特徴とする請求項３３〜５３のいずれか一項に記載の光学系。
【請求項５７】
前記予備歪曲系の光軸および前記投影系の光軸は、約９０°の角度を形成していることを特徴とする請求項３３〜５３のいずれか一項に記載の光学系。
【請求項５８】
前記予備歪曲系の光軸および前記投影系の光軸は、約４５°の角度を形成していることを特徴とする請求項３３〜５３のいずれか一項に記載の光学系。
【請求項５９】
前記予備歪曲系の光軸および前記投影系の光軸は、約３０°の角度を形成していることを特徴とする請求項３３〜５３のいずれか一項に記載の光学系。
【請求項６０】
前記非歪曲映像は、全体の歪みが約３％未満であることを特徴とする請求項３３〜５９のいずれか一項に記載の光学系。